(57)【要約】【課題】  一の指輪で複数の意匠を現出させることでバリエーションを多くし、使用する状況に適切に合わせることができると共に、長期間の使用にも飽きがこないで経済的な負担を軽減することができ、更に、保管のための維持管理を容易にすることができる指輪を提供する。【解決手段】  周方向の外周面２２に意匠が施されている装飾部２０を軸方向に複数列有し、少なくとも一の列の前記装飾部２０は、周方向の対向位置に異なる意匠を施し、周方向に正逆自在に３６０度回転させた。装飾部２０に施されている意匠は、地金２１に造形が施されている意匠及び／又は宝石２３等を有する意匠とした。【選択図】図１
2019072264.tif 000002
【特許請求の範囲】
【請求項１】
周方向の外周面に意匠が施されている装飾部を軸方向に複数列有し、少なくとも一の列の前記装飾部は、周方向の対向位置に異なる意匠が施され、周方向に回転することを特徴とする指輪。
【請求項２】
周方向の外周面に意匠が施されている装飾部を軸方向に複数列有し、複数列の全ての前記装飾部は、周方向の対向位置に異なる意匠が施され、各列は独自に周方向に回転することを特徴とする指輪。
【請求項３】
前記装飾部に施されている意匠は、地金に造形が施されている意匠及び／又は宝石等を有する意匠であることを特徴とする請求項１又は２に記載の指輪。
【発明の詳細な説明】
【技術分野】
【０００１】
本発明は、一の指輪で複数の意匠を楽しむことができる指輪に関する。
【背景技術】
【０００２】
従来、一の指輪には一の意匠が施されているだけであるので、長期間に亘り使用すると飽きが来てしまい、他の意匠が施された指輪を使用したいとの欲求が生じることがあった。
【０００３】
また、一の指輪には一の意匠が施されているだけであるので、使用する状況に不適切の場合もあり、使用する状況に合わせ複数の種類の指輪をそろえておく必要があった。
【０００４】
更に、一の意匠が施されているだけであるので、豪華さ等に欠けると感じることもあり、下記特許文献では、複数の種類の指輪を組み合わせて使用することが提案されている。
【０００５】
しかしながら、指輪は高価であり、複数の種類の指輪を揃えるためには多額の金額を必要とし、経済的な負担が大きくなるとの不具合があった。
【０００６】
更に、指輪は高価であると共に傷つき易く、個別にケースに入れて保管するので、紛失防止を含めた保管のための維持管理に負担が掛ると共に収納場所の確保が必要になるとの不具合があった。
【先行技術文献】
【特許文献】
【０００７】
【特許文献１】実用新案登録第３０７３５８４号
【特許文献２】実公平０６−２２２５４号
【発明の概要】
【発明が解決しようとする課題】
【０００８】
本発明は、かかる上述の不具合点を解決するためになされたものであって、その目的とするところは、一の指輪で複数の組み合わせ意匠を現出させることでバリエーションを多くし、使用する状況に適切に合わせることができると共に、長期間の使用にも飽きがこないで経済的な負担を軽減することができ、更に、保管のための維持管理を容易にすることができる指輪を提供することである。
【課題を解決するための手段】
【０００９】
上記目的を達成するため、本発明の請求項１に係る指輪は、周方向の外周面に意匠が施されている装飾部を軸方向に複数列有し、少なくとも一の列の前記装飾部は、周方向の対向位置に異なる意匠が施され、周方向に回転することを特徴とするものである。
【００１０】
また、本発明の請求項２に係る指輪は、周方向の外周面に意匠が施されている装飾部を軸方向に複数列有し、複数列の全ての前記装飾部は、周方向の対向位置に異なる意匠が施され、各列は独自に周方向に回転することを特徴とするものである。
【００１１】
また、本発明の請求項３に係る指輪は、請求項１又は２に記載の指輪において、前記装飾部に施されている意匠は、地金に造形が施されている意匠及び／又は宝石等を有する意匠であることを特徴とするものである。
【発明の効果】
【００１２】
本発明は、以下の効果を奏する。
【００１３】
すなわち、上記構成を備えた本発明の指輪は、周方向の外周面に意匠が施されている装飾部を軸方向に複数列有し、その内の少なくとも一の列は、周方向の対向位置に異なる意匠が施され、周方向に回転するので、回転する列の装飾部を１８０度反転させて手の甲側に異なる意匠を現出させることで、他の回転しない列の装飾部の意匠と別の組み合わせ意匠を手の甲側に現出することが可能となり、一の指輪で複数の組み合わせ意匠を楽しむことができる。
【００１４】
また、上記構成を備えた本発明の指輪は、周方向の外周面に意匠が施されている装飾部を軸方向に複数列有し、複数列の全ての前記装飾部は、周方向の対向位置に異なる意匠が施され、各列は独自に周方向に回転するので、回転する列の内の一部の列又は全ての列の装飾部を１８０度反転させて手の甲側に異なる意匠を現出させることで、種々の装飾部の意匠を組み合わせた多くの組み合わせ意匠を手の甲側に現出することが可能となり、一の指輪で多くのレパートリーを有する組み合わせ意匠を楽しむことができる。
【００１５】
更に、前記本体リング及び／又は前記半円状の付帯リングの外周面に施されている意匠は、地金に造形が施されている意匠及び／又は宝石等を有する意匠であるので、多くの種類の指輪を形成することができると共に、一の指輪で使用する状況に適切に合わせて使用することも可能となる。
【図面の簡単な説明】
【００１６】
【図１】本発明に係る指輪の斜視図である。
【図２】図１の指輪において、Ｙ−Ｙで軸方向に切断し矢印方向から見た拡大断面説明図である。
【図３】別の本発明に係る指輪の斜視図である。
【発明を実施するための形態】
【００１７】
以下に図面を参照して、この発明の実施形態を例示して説明する。
【００１８】
図１は、本発明に係る指輪の斜視図であり、図２は、図１の指輪において、Ｙ−Ｙで軸方向に切断し矢印方向から見た拡大断面説明図であり、図３は、別の本発明に係る指輪の斜視図である。
【００１９】
実施形態１
図１に示す通り、本発明の指輪１は、本体部１０と、本体部１０に嵌め込まれている複数（本実施形態では２列）の装飾部（２０Ａ，２０Ｂ）を備えている。
【００２０】
本体部１０は、指を挿入することができる程度の大きさの円形状のリングであって、内側は皮膚と接触するので平滑に形成されており、外側は図２に示す通り、後述する装飾部２０が嵌め込まれるように全周に亘り樋状の凹部１１が形成されている。
【００２１】
装飾部２０は、いずれも地金２１とその地金２１に嵌め込まれる宝石２３とで構成されている。
【００２２】
一の列の装飾部２０Ａは、全周に亘り外周面２２Ａに同一の意匠が施されている。実施形態１では、一の列の装飾部２０Ａの外周面２２Ａには、全周に亘り地金２１Ａに、同じ大きさの三角形に成形された赤色の小さな宝石２３Ａが一列に均一に嵌め込まれた状態で配列された意匠αが施されている。
【００２３】
他の列の装飾部２０Ｂは、周方向の外周面２２Ｂの対向位置に異なる意匠が施されている。実施形態1では、周方向に半周の長さに亘り外周面２２Ｂ１には、同じ大きさの矩形に成形された緑色の小さな宝石２３Ｂが均一に地金２１Ｂに嵌め込まれた状態で配列された意匠βが施されており、上述の外周面２２Ｂ１の周方向の対向位置である残りの半周の外周面２２Ｂ２には、同じ大きさの矩形に成形された黄色の小さな宝石２３Ｃが均一に地金２１Ｂに嵌め込まれた状態で配列された意匠γが施されている。
【００２４】
外周面２２に施されている意匠（α，β，γ）は、実施形態１では、同じ大きさで成形された小さな宝石２３が均一に地金２１に嵌め込まれた状態で配列された意匠であるが、例えば大きな宝石が１個、又は大きな宝石と小さな宝石が複数個纏った状態で配列された意匠であっても良く、更に、宝石の代替えとして人造宝石・色付きガラス等が用いられた意匠等でも良く、宝石等の種類・大きさ・形状・色彩等に関わらず、宝石等がどの様に配列された意匠であっても良い。尚、大きな宝石を用いた意匠の場合、大きな宝石が配列される位置は、外周面の半周に意匠が形成される場合、周方向中央部が好適である。
【００２５】
また、外周面２２に施されている意匠（α，β，γ）は、地金２１に宝石２３等が配列された意匠ではなく、地金２１だけの意匠であっても良い。この地金２１には、鍛金、鋳金、彫金等の細工が施されている意匠であることが好適であるが、細工が全く施されていない無地の地金の意匠であっても良い。また、外周面２２に地金部分が現れず全面に宝石等２３のみが配列された意匠であっても良い。
【００２６】
更に、外周面２２に施されている意匠（α，β，γ）は、宝石等２３が配列されている意匠と、宝石等２３が配列されていない地金の部分に鍛金、鋳金、彫金等の細工が施され、若しくは細工が施されていない意匠等とが混在している意匠であっても良い。
【００２７】
尚、宝石の代替えとして、上述の人造宝石・色付きガラスの他に、透明ガラス・プラスチック・七宝焼等の陶磁器等を用いても良い。
【００２８】
更に、本実施形態１では、一の列の外周面２２Ａに施されている意匠αと、他の列の外周面（２２Ｂ１，２２Ｂ２）に施されている意匠（β，γ）は異なる意匠であるが、意匠（β，γ）の内のいずれかが意匠αと同一であっても良い。
【００２９】
装飾部２０は、本体１０の凹部１１に嵌め込まれているが、本体部１０と間に僅かな隙間１２を有し、本体部１０の両側部（１３Ａ，１３Ｂ）で複数の装飾部（２０Ａ，２０Ｂ)の側面２４を挟み込むようになっているので、装飾部２０が本体１０から外れることなく正逆転自在に３６０度回転するようになっている。
【００３０】
尚、本実施形態１では、複数の装飾部（２０Ａ，２０Ｂ)は共に個別に回転するようになっているが、一の列の装飾部２０Ａは回転しないで固定され、他の列の装飾部２０Ｂのみが回転するようになっていても良い。
【００３１】
従って、実施形態１の指輪１Ａでは、手の甲側に現出させることができる合体した意匠は、（１）一の列の装飾部２０Ａの意匠αと他の列の装飾部２０Ｂの意匠βが合体した意匠（図1における右側の部分）、（２）一の列の装飾部２０Ａの意匠αと他の列の装飾部２０Ｂを周方向に１８０度回転させ手の甲側に現出させた意匠γが合体した意匠（図1における左側の部分）と、２種類の合体した意匠であり、よって１個の指輪１Ａで２種類の合体した意匠を楽しむことが可能となる。
【００３２】
実施形態２
図３に示す通り、実施形態２では、実施形態１の指輪である一の列の装飾部２０Ａに全周に亘り施されている意匠αの内、半周の部分に異なる意匠δを施した指輪１Ｂである。従って、それ以外は実施形態１と同様であり、図面の番号も同じ番号は同じ内容を意味する。以下異なる点を主に説明する。
【００３３】
一の列の装飾部２０Ａは、周方向に半周の長さに亘り外周面２２Ａ１には、同じ大きさの円形に成形された青色の小さな宝石２３Ｄが均一に地金２１Ａに嵌め込まれた状態で配列された意匠δが施されており、上述の外周面２２Ａ１の周方向の対向位置である残りの半周の外周面２２Ａ２には、実施形態１と同様で、同じ大きさの三角形に成形された赤色の小さな宝石２３Ａが均一に地金２１Ａに嵌め込まれた状態で配列された意匠αが施されている。
【００３４】
他の列の装飾部２０Ｂは、実施形態１と同様で、周方向に半周の長さに亘り外周面２２Ｂ１には、同じ大きさの矩形に成形された緑色の小さな宝石２３Ｂが均一に地金２１Ｂに嵌め込まれた状態で配列された意匠βが施されており、上述の外周面２２Ｂ１の周方向の対向位置である残りの半周の外周面２２Ｂ２には、同じ大きさの矩形に成形された黄色の小さな宝石２３Ｃが均一に地金２１Ｂに嵌め込まれた状態で配列された意匠γが施されている。
【００３５】
尚、外周面２２Ａ１への意匠δの施し方（宝石の配列や地金への細工の施し方、宝石の種類・大きさ等）は、実施形態１における意匠（α，β，γ）の施し方と同様である。
【００３６】
更に、本実施形態２では、一の列の外周面（２２Ａ１，２２Ａ２）に施されている意匠（δ，α）と、他の列の外周面（２２Ｂ１，２２Ｂ２）に施されている意匠（β，γ）は全て異なる意匠であるが、一の列の意匠（δ，α）の内のいずれかが他の列の意匠（β，γ）と同一であっても良く、更に意匠δが意匠βと同一で、且つ意匠αが意匠γと同一であっても良い。
【００３７】
従って、実施形態２の指輪１Ｂでは、手の甲側に現出させることができる合体した意匠は、（１）一の列の装飾部２０Ａの意匠δと他の列の装飾部２０Ｂの意匠βが合体した意匠（図３おける右側の部分）、（２）一の列の装飾部２０Ａを周方向に１８０度回転させ手の甲に現出させた意匠αと他の列の装飾部２０Ｂの意匠βが合体した意匠、（３）一の列の装飾部２０Ａの意匠αと他の列の装飾部２０Ｂを周方向に１８０度回転させ手の甲側に現出させた意匠γが合体した意匠（図３おける左側の部分）、（４）一の列の装飾部２０Ａを周方向に１８０度回転させ手の甲に現出させた意匠δと他の列の装飾部２０Ｂの意匠γが合体した意匠と、４種類の合体した意匠であり、よって１個の指輪１Ｂで４種類の合体した意匠を楽しむことが可能となる。
【００３８】
尚、上記実施形態では、本体部に嵌め込まれている装飾部は２列の場合で説明したが、２列に限定されるものではなく、３列以上であっても良いことは言うまでもない
【符号の説明】
【００３９】
１，１Ａ，１Ｂ    指輪
１０    本体部
１１    凹部
１２    隙間
１３，１３Ａ，１３Ｂ    側部
２０，２０Ａ，２０Ｂ    装飾部
２１，２１Ａ，２１Ｂ    地金
２２，２２Ａ，２２Ａ１，２２Ａ２，２２Ｂ，２２Ｂ1、２２Ｂ２    外周面
２３，２３Ａ，２３Ｂ，２３Ｃ，２３Ｄ    宝石
２４    側面
α，β，γ，δ    意匠
【図１】
2019072264.tif 000003
【図２】
2019072264.tif 000004
【図３】
2019072264.tif 000005